(57)【要約】【課題】携帯が簡便で低費用でも生産することができる頭保護用帽子を提供する。【解決手段】相互に離隔するように配置される複数のクッション部材と、前記クッション部材の間を一体的に連結する紐部材とを含んでなり、一端に頭挿着口が形成された帽子の形態を成している。多数片のクッション部材が紐部材で連結されているので、着用の際には帽子の形態を成すが、布材の帽子のように折り畳むことができて保管及び携帯が簡便である。【選択図】図１
2010084314.tif 000002
【特許請求の範囲】
【請求項１】
相互に離隔するように配置される複数のクッション部材と、前記クッション部材の間を一体的に連結する紐部材とを含んでなり、一端に頭挿着口が形成された帽子の形態を成していることを特徴とする、頭保護用帽子。
【請求項２】
前記紐部材に連結されるように前記頭挿着口に設けられたバンドをさらに含むことを特徴とする、請求項１に記載の頭保護用帽子。
【請求項３】
前記クッション部材の内面は頭の外面に対応するように所定曲率で凹んで形成されることを特徴とする、請求項１に記載の頭保護用帽子。
【請求項４】
前記クッション部材の内面には、頭と前記クッション部材間の離隔のための離隔突起が設けられることを特徴とする、請求項１に記載の頭保護用帽子。
【請求項５】
前記クッション部材の外面は、中央が外部に突出するように形成されることを特徴とする、請求項１に記載の頭保護用帽子。
【請求項６】
前記第１クッション部材は頭挿着口側の前記バンド部に連結される第１クッション部材と、頭の脳天側に配置される第２クッション部材とを含み、前記第１クッション部材は前記頭挿着口の周囲に複数が配置され、前記第２クッション部材はただ一つでなることを特徴とする、請求項２に記載の頭保護用帽子。
【請求項７】
前記クッション部材間の間隔を維持するために、前記クッション部材間の紐部材の外側に選択的に設けられる間隔維持部材をさらに含むことを特徴とする、請求項１〜６のいずれか１項に記載の頭保護用帽子。
【請求項８】
前記間隔維持部材は、前記紐部材が通過するように、中空管状に形成されることを特徴とする、請求項７に記載の頭保護用帽子。
【請求項９】
前記紐部材は、前記クッション部材の両側面を貫通するように、前記クッション部材に連結されることを特徴とする、請求項１に記載の頭保護用帽子。
【請求項１０】
前記バンドには、前記紐部材の固定のために、紐部材が通過するように形成された固定孔を持つ固定部材が設けられることを特徴とする、請求項２に記載の頭保護用帽子。
【請求項１１】
前記バンドには、日光を遮るためのつばが一体的に設けられることを特徴とする、請求項２に記載の頭保護用帽子。
【請求項１２】
前記バンドには顎紐が連結されることを特徴とする、請求項２に記載の頭保護用帽子。
【請求項１３】
前記クッション部材は、相互に離隔して配置される下側の第１クッション部材と、前記第１クッション部材の間に一端が介在され、相互に離隔して配置される上側の第３クッション部材とを含んでなることを特徴とする、請求項１〜６のいずれか１項に記載の頭保護用帽子。
【請求項１４】
前記第３クッション部材は頭挿着口の周囲に環状に相互に離隔して配置され、その環状の中心に配置されて前記第３クッション部材に連結される第２クッション部材をさらに含むことを特徴とする、請求項１３に記載の頭保護用帽子。
【請求項１５】
前記第２クッション部材は、前記第３クッション部材と一体型に製作されることを特徴とする、請求項１４に記載の頭保護用帽子。
【請求項１６】
前記第３クッション部材と前記第２クッション部材の連結端には溝が形成されていることを特徴とする、請求項１５に記載の頭保護用帽子。
【請求項１７】
前記第１クッション部材と前記第３クッション部材には通孔が形成され、前記紐部材は前記第１クッション部材の通孔と前記第３クッション部材の通孔を交互に通過するように構成されることを特徴とする、請求項１３に記載の頭保護用帽子。
【請求項１８】
前記頭挿着口の周囲に相互に離隔して配置される前記第１クッション部材と前記第３クッション部材からそれぞれ離隔して配置される一つの第４クッション部材をさらに含むことを特徴とする、請求項１４に記載の頭保護用帽子。
【発明の詳細な説明】
【技術分野】
【０００１】
本発明は頭保護用帽子に係り、より詳しくは携帯が簡便で低費用でも生産することができるようになった頭保護用帽子に関する。
【背景技術】
【０００２】
産業現場、運動競技などにおいては、身体を保護するための保護装備が多様な形態に利用されている。このような保護装備の中で、最も細心の注意が必要な身体部分はどうしても頭部である。これは、手足や胴体の場合、打撲傷、骨折などの比較的簡単な負傷が発生する場合が多いが、頭蓋骨の破損や脳出血のような頭の負傷の際には回復が極めて難しい状態に発展しやすいからである。
【０００３】
したがって、産業現場では作業用保安帽を利用して作業者の頭を保護しており、野球やサイクリングのような運動競技では運動用保安帽が利用されている。
このうち、作業用及び運動用保安帽は、金属又は高強度の合成樹脂でなった外被と、衝撃を緩衝するために、外被の内部に設けられる弾性材質の内皮とを備えるように構成されることが一般的である。しかし、このような従来の保安帽は重くて構造が複雑であるため携帯が不便であるだけでなく、材質の特性上高価であるため、体の調子が悪い人や一般人が一時的に簡単に利用するには適しなかった。すなわち、周囲に見られる半身不随のような重度患者、障害者のように挙動が不便で歩行の際によく倒れる人々と、事故などによって一時的に歩行に不便さを感じる人々とがよく見られるが、従来の作業用及び運動用保安帽は高価なので、このような一般人が易しく購入して使うのに困難さがあり、重くて携帯が不便で使用の際に不便さがあった。また、最近テクォンド、格闘技などに使われている運動用保安帽を見れば、一名ヘッドギアと言う重量が軽くて安価になるように発泡スポンジなどから形成され、通気性向上のために多数ヵ所に孔を開けたものなども見られるが、このようなヘッドギアの場合にも、嵩などの面では一般的な保安帽と特に違う点がなくて携帯の際には多少の困難さがあった。
【発明の概要】
【発明が解決しようとする課題】
【０００４】
したがって、本発明はこのような問題点を解決するためになされたもので、その目的は携帯が簡便で低費用でも生産することができるようになった頭保護用帽子を提供することである。
【課題を解決するための手段】
【０００５】
前記目的を達成するために、本発明による頭保護用帽子は、相互に離隔するように配置される複数のクッション部材と、前記クッション部材の間を一体的に連結する紐部材とを含んでなり、一端に頭挿着口が形成された帽子の形態を成している。
【０００６】
本発明による頭保護用帽子は、前記紐部材に連結されるように前記頭挿着口に設けられたバンドをさらに含むことができる。
前記クッション部材の内面は頭の外面に対応するように所定曲率で凹んで形成されることができる。
【０００７】
前記クッション部材の内面には、頭と前記クッション部材間の離隔のための離隔突起が設けられることができる。
【０００８】
前記クッション部材の外面は中央が外部に突出するように形成されることができる。
【０００９】
前記第１クッション部材は頭挿着口の周囲に複数が配置され、前記第２クッション部材はただ一つでなることができる。
【００１０】
前記クッション部材間の間隔を維持するために、前記クッション部材間の紐部材の外側に選択的に設けられる間隔維持部材をさらに含むことができる。
【００１１】
前記間隔維持部材は、前記紐部材が通過するように、中空管状に形成されることができる。
【００１２】
前記紐部材は、前記クッション部材の両側面を貫通するように、前記クッション部材に連結されることができる。
【００１３】
前記バンドには、前記紐部材の固定のために、紐部材が通過するように形成された固定孔を持つ固定部材が設けられることができる。
【００１４】
前記バンドには、日光を遮るためのつばが一体的に設けられることができる。
前記バンドには顎紐が連結されることができる。
【００１５】
前記クッション部材は、相互に離隔して配置される下側の第１クッション部材と、前記第１クッション部材の間に一端が介在され、相互に離隔して配置される上側の第３クッション部材とを含んでなることができる。
【００１６】
前記第１クッション部材は頭挿着口の周囲に環状に相互に離隔して配置され、その環状の中心に配置されて前記第１クッション部材に連結される第２クッション部材をさらに含むことができる。
【００１７】
前記第２クッション部材は前記第１クッション部材と一体型に製作されることができる。
前記第１クッション部材と前記第２クッション部材の連結端には溝が形成されることができる。
【００１８】
前記第１クッション部材と前記第３クッション部材には通孔が形成され、前記紐部材は前記第１クッション部材の通孔と前記第３クッション部材の通孔を交互に通過するように構成されることができる。
【００１９】
前記頭挿着口の周囲に相互に離隔して配置される前記第１クッション部材と前記第３クッション部材からそれぞれ離隔して配置される一つの第４クッション部材をさらに含むことができる。
【発明の効果】
【００２０】
以上説明したように、本発明による頭保護用帽子は、複数のクッション部材とこれらを一体的に連結する紐部材とから構成されて、構造が簡素化されながら低費用でも製作可能である。また、切れ切れになったクッション部材が紐部材で連結された本発明による頭保護用帽子は、着用の際には一般的な帽子の形を成すが、布材の帽子のように折り畳むことができるので保管及び携帯が簡便である利点がある。
【図面の簡単な説明】
【００２１】
【図１】本発明の好適な一実施例による頭保護用帽子の構造を示す斜視図で、着用者が着用している状態を示すものである。
【図２】本発明の好適な一実施例による頭保護用帽子の構造を示す平面図である。
【図３】本発明の好適な一実施例による頭保護用帽子の構造を示す側断面図である。
【図４】本発明の好適な一実施例による頭保護用帽子において、第１及び第３クッション部材の構造を示す斜視図である。
【図５】本発明の好適な一実施例による頭保護用帽子において、間隔調節部材の設置過程を示す斜視図である。
【図６】本発明の好適な一実施例による頭保護用帽子において、長さ調節手段側の構造を抜粋して示す斜視図である。
【図７】本発明の好適な一実施例による頭保護用帽子において、第１〜第３部材が折り畳まれた状態を示す断面図である。
【図８】本発明の好適な一実施例による頭保護用帽子において、第２及び第３部材が一体的に製作されている状態を示す側断面図である。
【発明を実施するための最良の形態】
【００２２】
以下、本発明の好適な一実施例による頭保護用帽子１を添付図面の図１〜図７に基づいて詳細に説明する。
【００２３】
本実施例による頭保護用帽子１は、図１〜図３に示すように、相互に離隔するように配置される複数のクッション部材１０、２０、３０、４０と、クッション部材１０、２０、３０、４０の間を一体的に連結するように設けられた紐部材５０、６０、７０、８０とを含んでなり、一端に頭挿着口１ａが形成された帽子の形態に構成される。
【００２４】
この際、紐部材５０、６０、７０、８０は一端に頭挿着口１ａが形成された網構造の帽子形態を成し、クッション部材１０、２０、３０、４０はこのような紐部材５０、６０、７０、８０に結合され、着用者の頭に加わる衝撃を緩衝ないし低減させる機能をすることになる。
【００２５】
本実施例において、前記クッション部材１０、２０、３０、４０はＥＶＡで製造される。本発明において、クッション部材は、ゴム、発泡スポンジ、圧縮スポンジ、ウレタンフォーム、発泡ポリスチレン、発泡ポリエチレンなど、緩衝機能を有するように所定の弾性力を持つ範囲内で多様な材質で製造可能である。
【００２６】
それぞれのクッション部材１０、２０、３０、４０間の距離は、頭保護用帽子の外面がどんな対象物に接触したとき、頭と対象物間の直接的な接触を遮断することができる程度の間隔を維持するように設定すれば良い。
【００２７】
また、図４に示すように、クッション部材１０、２０、３０、４０の内面は、着用者の頭外面に対応するように、所定の曲率で凹んで形成された凹面１１、３１をなし、クッション部材１０、２０、３０、４０の外面は、衝突物が斜めにそれるように中央部が他の部位より外部に突出するように形成されることが好ましい。本実施例において、クッション部材１０、３０、４０の外面は傾斜面１２、３２によって突出するようになっているが、クッション部材２０の外面は曲面処理によって突出するように構成される。また、それぞれのクッション部材１０、２０、３０、４０の内面には、クッション部材１０、２０、３０、４０と着用者の頭を互いに離隔させるための離隔突起１３、２３、３３、４３が設けられる。離隔突起１３、２３、３３、４３は、クッション部材１０、２０、３０、４０の製作の際にクッション部材１０、２０、３０、４０と一体に形成されることができる。このような離隔突起１３、２３、３３、４３によって、夏季のように気温の高い日、本実施例による頭保護用帽子１を着用すれば、クッション部材１０、２０、３０、４０と着用者の頭の間で円滑な通気が可能になって効率的である。
【００２８】
本実施例において、クッション部材１０、２０、３０、４０は、頭挿着口１ａ側に頭挿着口１ａに沿って所定間隔で離隔して配設される複数の第１クッション部材１０と、脳天側に位置する一つの第２クッション部材２０と、第１クッション部材１０と第２クッション部材２０との間を連結する複数の第３クッション部材３０と、頭の後頭部側の中央に位置する一つの第４クッション部材４０とを含んでなる。
【００２９】
第１クッション部材１０と第３クッション部材３０と第４クッション部材４０は一方向に長細く形成されて縦方向に配設され、第２クッション部材２０は頭の多くの部分の中で特に重要な脳天部位を遮るように配置される。第２クッション部材２０の形態は脳天部位を遮ることができる適切な形態を取り、第１及び第３クッション部材１０、３０は共用できるように同一形態を取ることになり、第４クッション部材４０は第１及び第３クッション部材１０、３０よりちょっと長く形成される。
【００３０】
紐部材５０、６０、７０、８０との結合のために、前記クッション部材１０、２０、３０、４０には、紐部材５０、６０、７０、８０が通過するように、通孔１０ａ、１０ｂ、１０ｃ、２０ａ、３０ａ、３０ｂ、３０ｃ、４０ａ、４０ｂが形成される。このような通孔１０ａ、１０ｂ、１０ｃ、２０ａ、３０ａ、３０ｂ、３０ｃ、４０ａ、４０ｂはクッション部材１０、２０、３０、４０の両側面を通過するように形成され、紐部材５０、６０、７０、８０がクッション部材１０、２０、３０、４０と着用者の頭の間に挟まることを防止するように設けられる。第１及び第３クッション部材１０、３０にはそれぞれ三つの通孔１０ａ、１０ｂ、１０ｃ、３０ａ、３０ｂ、３０ｃが縦方向に相互に離隔するように形成され、第２クッション部材２０は中央部に一つの通孔２０ａが形成され、第４クッション部材４０には二つの通孔４０ａ、４０ｂが縦方向に相互に離隔するように形成される。
【００３１】
第１クッション部材１０をより長く形成するか第２クッション部材２０をより大きく形成することにより、第３クッション部材３０を省略するか、あるいは第１及び第３クッション部材１０、３０が頭保護用帽子１を全く取り囲むように配置することにより、第４クッション部材４０を省略するなど、第１クッション部材１０と第２クッション部材２０を除いた残りの第３及び第４クッション部材３０、４０は必要に応じて省略可能である。もちろん、その外にも、頭全体を安定的にくるむようにする範囲内で、前記クッション部材１０、２０、３０、４０の種類、大きさ、形状などは様々な変更が可能である。具体的な例を挙げると、図８に示すように、前記第２クッション部材２０は前記第３クッション部材３０と一体型に製作することができ、前記第３クッション部材３０と前記第２クッション部材２０の連結端に溝部を形成することで、容易に折られるか折り畳まれるように変更して製作することができる。また、前記連結端の溝が外部から見えないように前記第２クッション部材２０を大きく形成して、第３クッション部材３０の溝部を覆うように製作することもできる。そして、前記紐部材５０、６０、７０、８０としては、折り畳みができるように、合成樹脂材でなった通常の紐を用いることができる。
【００３２】
本実施例において、紐部材５０、６０、７０、８０は、第１クッション部材１０の間を連結する第１及び第２紐部材５０、６０と、第１クッション部材１０と第３クッション部材３０の間を連結する第３紐部材７０と、第３クッション部材３０の間と第２クッション部材２０の間を連結する第４紐部材８０とに区分され、第２紐部材６０と第３紐部材７０は第４クッション部材４０を通るように設けられる。また、本実施例による頭保護用帽子１は、前記紐部材５０、６０、７０、８０に連結されるように前記頭挿着口１ａに設けられたバンド９０をさらに含んでなり、バンド９０には日光を遮るためのつば１００が一体的に延設されることができる。
【００３３】
バンド９０は布材から着用者の額部位に密着するように形成され、図６に示すように、バンド９０の両端の間に、バンド９０両端を連結するとともに着用者の頭部位によってバンド９０の長さを調節するように長さ調節手段１１０が備えられる。長さ調節手段１１０は、バンドの一端に形成されるバックル１１１と、バックル１１１にかけて長さを調整することができるように、バンド９０の他端に連結された可変帯１１２とを含んでなり、可変帯１１２の一面には、互いに着脱可能に設けられた雌ベルクロ部１１２ａと雄ベルクロ部１１２ｂが形成される。このような長さ調節手段１１０は前記第４クッション部材４０の下部によって覆われる。また、前記バンド９０には、頭保護用帽子１の安定的な着用のために、着用者の顎にかかるように顎紐１４０が一体的に連結される。顎紐１４０は両端が着用者の耳付近に固定されるようにバンド９０に連結される。かかる顎紐１４０は弾性を持つ紐でなることもできが、弾性がないとしても、前記長さ調節手段１１０のように長さを調節することができる手段を備えて、顎に密着した状態でかかるように構成することが好ましい。
【００３４】
前記クッション部材１０、２０、３０、４０及び紐部材５０、６０、７０、８０とバンド９０の結合構造をより詳細に説明すれば次のようである。
【００３５】
まず、バンド９０の外面には、図５に詳細に示すように、前記第１紐部材５０の固定のために、第１紐部材５０が通過するように形成された固定孔９１ａを有する複数の固定部材９１が円周方向に相互に離隔するように設置される。固定部材９０は布材でなってバンド９０の外面に縫着されることができ、第１クッション部材１０の間ごとに配置される。前記第１紐部材５０は、一端がバンド９０の一端側に固定された状態で、第１クッション部材１０の通孔１０ａと前記固定部材９１の固定孔９１ａを交互に順次通過し、他端がバンド９０の他端に固定される。
【００３６】
前記バンド９０が射出物でなる場合、前記固定部材９１はバンド９０と一体的に形成されることもできる。そして、第２紐部材６０は、第１クッション部材１０の通孔１０ｂを順次通過してから第４クッション部材４０の通孔４０ａを通過し、両端が互いに結ばれるように結合され、第３紐部材７０は、第１クッション部材１０の通孔１０ｃと第３クッション部材３０の通孔３０ａを順次通過してから第４クッション部材４０の通孔４０ｂを通過し、両端が互いに結ばれるように結合される。また、第４紐部材８０は、第３クッション部材３０の通孔３０ｃを順次通過してから第２クッション部材２０の通孔２０ａを通過し、両端が互いに結ばれるように結合される。ここで、第２〜第４紐部材６０、７０、８０の結び目部６１、７１、８１が外部に露出されることを防止するために、第２及び第３紐部材６０、７０の結び目部６１、７１は第４クッション部材４０の通孔４０ａ、４０ｂの内部に位置するようにし、第４紐部材８０の結び目部８１は第２クッション部材２０の通孔２０ａの内部に位置するようにすることが好ましい。
【００３７】
より詳細に説明すれば、前記クッション部材は、互いに離隔して配置される下側の第１クッション部材１０と、前記第１クッション部材１０の間に一端が介在され、相互に離隔して配置される上側の第３クッション部材３０とを好ましくはジグザグ状に設置することができる。そして、前記第３クッション部材３０は、前記頭挿着口の周囲に沿って環状を成して相互に離隔して配置され、その環状の中心に配置され、前記第３クッション部材３０に連結される第２クッション部材２０を含むことができ、前記第１クッション部材１０と前記第３クッション部材３０には通孔が形成され、前記紐部材は前記第１クッション部材１０と前記第３クッション部材３０の通孔を交互に通過するように形成することができる。また、前記頭挿着口の周囲に沿って互いに離隔して配置される前記第１クッション部材１０と前記第３クッション部材３０から離隔して配置される単一の第４クッション部材４０を形成することが好ましい。
【００３８】
また、図３を参照すれば、前記結び目部６１、７１、８１は射出物でなる包囲部材１２０で包まれた状態で通孔２０ａ、４０ａ、４０ｂの内部に収容される。すなわち、包囲部材１２０は通孔２０ａ、４０ａ、４０ｂの内部から抜け出ないように、通孔２０ａ、４０ａ、４０ｂの内部に押し込まれて固定される。包囲部材１２０の容易な挿入のために、第２クッション部材２０と第４クッション部材４０はそれぞれ外側の第１本体２０Ａ、４０Ａと内側の第２本体２０Ｂ、４０Ｂとに分離構成され、前記通孔２０ａ、４０ａ、４０ｂは第１本体２０Ａ、４０Ａと第２本体２０Ｂ、４０Ｂの間に形成され、第１本体２０Ａ、４０Ａと第２本体２０Ｂ、４０Ｂはその間に包囲部材１２０が収容された状態で相互にボンディング結合されることができる。
【００３９】
また、前記各第１クッション部材１０の間の第２紐部材６０の外側には、第１クッション部材１０間の間隔を一定に維持するための間隔維持部材１３０が設置される。図５に詳細に示すように、間隔維持部材１３０は、第２紐部材６０が通過するように、合成樹脂でなった中空管状のものである。このような間隔維持部材１３０は、両端が両側の第１クッション部材１０の通孔１０ｂにかかって支持されるように、その外径が前記通孔１０ｂより大きく形成される。したがって、このような間隔維持部材１３０が備えられた状態では、第１クッション部材１０間の間隔が余り広くなるか余り狭くなるおそれがなくなり、第１クッション部材１０に連結された第３クッション部材３０間の間隔も第１クッション部材１０間の間隔に影響を受けるので、それぞれのクッション部材１０、２０、３０、４０の間が常に一定間隔を維持して頭を安全に保護することができることになる。
【００４０】
間隔維持部材１３０はクッション部材１０、２０、３０、４０の間に紐部材５０、６０、７０、８０の外側に選択的に設置されることができる。それぞれのクッション部材１０、２０、３０、４０間の間隔をより正確に維持するためには、前記間隔維持部材１３０がすべてのクッション部材１０、２０、３０、４０の間の紐部材５０、６０、７０、８０の外側に設置されることが好ましい。そして、本実施例とは異なり、紐部材５０、６０、７０、８０は、それぞれのクッション部材１０、２０、３０、４０をすべて結束するように、長く形成された単一の紐部材であっても関係ない。場合によって、前記クッション部材１０、２０、３０、４０を紐部材５０、６０、７０、８０で連結するに際して、それぞれの通孔１０ａ、１０ｂ、１０ｃ、２０ａ、３０ａ、３０ｂ、３０ｃ、４０ａ、４０ｂを紐部材５０、６０、７０、８０が多数回通過するようにすることもできる。
【００４１】
以上詳細に説明したように、本実施例による頭保護用帽子１は着用者が一般帽子と同様に簡便に着用することができる。この際、前記それぞれのクッション部材１０、２０、３０、４０は頭保護用帽子１に全体的に均等に配置されているので、着用者の頭がどんな対象物と直接接触することを遮断して着用者の頭を保護するようになる。そして、小片でなったクッション部材１０、２０、３０、４０と紐部材５０、６０、７０、８０などのように安価の材質から簡素化した構造を持つように構成される頭保護用帽子１は製作費用が低いので、患者や子供などの一般人が一時的な使用のために負担なしに購入することができる。また、本実施例による頭保護用帽子１は、多数片のクッション部材１０、２０、３０、４０が紐部材５０、６０、７０、８０で連結されたもので、図７に示すように、布材でなった帽子のように折り畳むことができるので、携帯が簡便であるだけでなく、保管体積を減らすことができるなどの利点も持つ。
【産業上の利用可能性】
【００４２】
本発明は、携帯が簡便で低費用でも生産することができる頭保護用帽子に適用可能である。
【符号の説明】
【００４３】
１    頭保護用帽子
１ａ    頭挿着口
１０    第１クッション部材
２０    第２クッション部材
３０    第３クッション部材
４０    第４クッション部材
５０    第１紐部材
６０    第２紐部材
７０    第３紐部材
８０    第４紐部材
９０    バンド
９１    固定部材
１００    つば
１１０    長さ調節手段
１２０    包囲部材
１３０    間隔維持部材
【図１】
2010084314.tif 000003
【図２】
2010084314.tif 000004
【図３】
2010084314.tif 000005
【図４】
2010084314.tif 000006
【図５】
2010084314.tif 000007
【図６】
2010084314.tif 000008
【図７】
2010084314.tif 000009
【図８】
2010084314.tif 000010